(57)【要約】【課題】  物理的に互いに独立した複数個のユニットが、それらユニット間において光をアナログ信号として伝達するフレキシブルな光伝送手段によって互いに接続される光伝送装置において、光伝送手段による光の伝送特性を安定化する。【解決手段】  光伝送装置としての網膜走査型ディスプレイ装置１０における光伝送手段を光ファイバ２０として構成し、かつ、その光ファイバを、光を伝送する際の光の損失量が光ファイバの曲がりに実質的に依存しない光学特性を有するものとして構成する。したがって、この装置の使用中に光ファイバの曲がりが時間と共に変化することがあっても、光ファイバによる光の伝送特性が時間と共に変化することが抑制される。【選択図】図１
2005091553.tif 000002
【特許請求の範囲】
【請求項１】
物理的に互いに独立した複数個のユニットが、それらユニット間において光をアナログ信号として伝達するフレキシブルな光伝送手段によって互いに接続される光伝送装置であって、
前記光伝送手段は、光を伝送する際の光の損失量が前記光伝送手段の曲がりに実質的に依存しない光学特性を有する光ファイバとして構成されている光伝送装置。
【請求項２】
前記複数個のユニットは、表示すべき画像の光束を出射する出射部を備えた第１ユニットと、その第１ユニットから出射した光束を画像表示面上に表示するために走査する走査部を備えた第２ユニットとを含み、それら第１ユニットと第２ユニットとは前記光ファイバによって互いに接続されている請求項１に記載の光伝送装置。
【請求項３】
前記第２ユニットは、さらに、前記光束の波面を変調する波面変調部を備えている請求項２に記載の光伝送装置。
【請求項４】
前記光ファイバは、フォトニック結晶ファイバである請求項１ないし３のいずれかに記載の光伝送装置。
【請求項５】
前記フォトニック結晶ファイバは、コア部とそれを覆うクラッド部とを含み、そのクラッド部は、シリカガラス中に前記光束の波長と同程度の周期で複数個のエアホールが規則的に配列された結晶構造を有する請求項４に記載の光伝送装置。
【請求項６】
前記第２ユニットは、観察者の頭部に装着される請求項２または３に記載の光伝送装置。
【発明の詳細な説明】
【技術分野】
【０００１】
本発明は、物理的に互いに独立した複数個のユニットが、それらユニット間において光をアナログ信号として伝達するフレキシブルな光伝送手段によって互いに接続される光伝送装置に関するものであり、特に、光伝送手段の改良に関するものである。
【背景技術】
【０００２】
光を伝送する光伝送装置が既に存在する。この光伝送装置の一形式として、物理的に互いに独立した複数個のユニットが、それらユニット間において光をアナログ信号として伝達するフレキシブルな光伝送手段によって互いに接続される光伝送装置が既に知られている（例えば、特許文献１参照。）。
【０００３】
この特許文献１には、この種の光伝送装置の一従来例として、眼鏡型の網膜走査ディスプレイ装置が記載されている。この装置は、眼鏡のレンズの如き反射器と、光学スキャナと、レーザ光源と、ファイバリレーとを含むように構成されている。光学スキャナとレーザ光源とはファイバリレーによって互いに接続されている。
【特許文献１】特開平６−１３８４９９号公報
【発明の開示】
【発明が解決しようとする課題】
【０００４】
この種の光伝送装置においては、物理的に互いに独立した複数個のユニットがフレキシブルな光伝送手段によって互いに接続されるが、この光伝送装置の使用中、光伝送手段に揺れや曲げが発生する場合がある。光伝送手段の曲がりが動的に変化する場合があるのである。
【０００５】
この種の光伝送装置においては、光伝送手段が、それの曲がりの動的変化にもかかわらず、伝送すべき光を損失なしで伝送することが理想的である。
【０００６】
しかしながら、従来の光伝送装置においては、光伝送手段が光を伝送する際の光の損失量がその光伝送手段の曲がりに依存する傾向があったため、光伝送手段による光の伝送特性が時間的に安定しない傾向があった。
【０００７】
例えば、光伝送装置が、光によって画像を表示する画像表示装置として具現化される場合には、光伝送手段による光の伝送特性が不安定であると、表示される画像がちらついたり、ノイズが混入し易い。
【０００８】
このような事情を背景として、本発明は、物理的に互いに独立した複数個のユニットが、それらユニット間において光をアナログ信号として伝達するフレキシブルな光伝送手段によって互いに接続される光伝送装置において、光伝送手段による光の伝送特性を安定化することを課題としてなされたものである。
【課題を解決するための手段】
【０００９】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈されるべきではない。すなわち、下記の態様には記載されていないが本明細書には記載されている技術的特徴を本発明の技術的特徴として適宜抽出して採用することは妨げられないと解釈すべきである。
【００１０】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈されるべきである。
【００１１】
（１）  物理的に互いに独立した複数個のユニットが、それらユニット間において光をアナログ信号として伝達するフレキシブルな光伝送手段によって互いに接続される光伝送装置であって、
前記光伝送手段は、光を伝送する際の光の損失量が前記光伝送手段の曲がりに実質的に依存しない光学特性を有する光ファイバとして構成されている光伝送装置。
【００１２】
この装置においては、光伝送手段が光ファイバとして構成され、かつ、その光ファイバは、光を伝送する際の光の損失量が光ファイバの曲がりに実質的に依存しない光学特性を有するものとして構成されている。
【００１３】
したがって、この装置によれば、光ファイバの曲がりがあっても、光ファイバによる光の伝送特性が変化することが抑制される。
【００１４】
よって、この装置によれば、光伝送手段の曲がりに影響を受けることなく、光として伝送すべきアナログ信号を安定して伝送することが容易となる。
【００１５】
本項における「曲がり」は、例えば、曲率半径として表現したり、屈曲角度として表現することが可能である。また、捩じれを含む概念として定義することも可能である。
【００１６】
本項に係る「光伝送装置」は、画像情報を伝送するために使用することが可能であるが、他の用途に使用することも可能である。例えば、画像情報に代えて画像情報および音声情報を伝送するために使用することが可能である。
【００１７】
（２）  前記複数個のユニットは、表示すべき画像の光束を出射する出射部を備えた第１ユニットと、その第１ユニットから出射した光束を画像表示面上に表示するために走査する走査部を備えた第２ユニットとを含み、それら第１ユニットと第２ユニットとは前記光ファイバによって互いに接続されている（１）項に記載の光伝送装置。
【００１８】
この装置は、光束によって画像表示面上に画像を表示するという用途に、前記（１）項に係る光伝送装置を適合させたものであり、この装置は、物理的に互いに独立した第１ユニットと第２ユニットとを含んでいる。
【００１９】
第１ユニットは、光束を出射する出射部を備えており、第２ユニットは、その第１ユニットから出射した光束を走査する走査部を備えている。そして、それら第１ユニットと第２ユニットとは、前記（１）項における光ファイバによって互いに接続されている。
【００２０】
したがって、この装置によれば、その装置の使用中に、第１ユニットと第２ユニットとの相対位置が変化して光ファイバの曲がりが変化しても、それらユニット間の光ファイバ内に伝送される光の量が安定化される。
【００２１】
よって、この装置によれば、使用中における光ファイバの曲がりの動的変化にもかかわらず、画像表示面上に表示される画像の品質が安定化させられる。
【００２２】
（３）  前記第２ユニットは、さらに、前記光束の波面を変調する波面変調部を備えている（２）項に記載の光伝送装置。
【００２３】
前記（２）項に係る光伝送装置は、光束の波面を変調する波面変調部を含む態様で実施することが可能である。この態様においては、その波面変調部を、第１ユニットに設けることも、第２ユニットに設けることも可能である。
【００２４】
しかし、光ファイバを使用する場合には、その光ファイバに入射した光束の光学的性質につき、保存することが不可能であるかまたは可能であるにしても困難である光学的性質が存在するのが通常である。そのため、光ファイバによっては保存が少なくとも困難である光学的性質を保存することが必要である場合には、そのような光学的性質を有する光束を光ファイバを通過させないことが望ましい。
【００２５】
一方、光束の波面を変調する場合には、その波面の曲率に応じて光束の拡がり角が変化し、その拡がり角が維持されるように光束を伝送することが必要である場合がある。
【００２６】
そこで、本項に係る装置においては、波面変調部が、光ファイバの上流側に位置して光束がその光ファイバに入射する第１ユニットにではなく、光ファイバの下流側に位置して光束がその光ファイバに入射しない第２ユニットに設けられている。
【００２７】
したがって、この装置によれば、光束の光学的特性のうち保存されるべきものが光ファイバによって喪失されることを回避することが容易となる。
【００２８】
（４）  前記光ファイバは、フォトニック結晶ファイバである（１）ないし（３）項のいずれかに記載の光伝送装置。
【００２９】
光ファイバをフォトニック結晶ファイバとして構成することが既に知られている。このフォトニック結晶ファイバは、光を伝送する際の光の損失量が、フォトニック結晶ファイバの曲がりに実質的に依存しないファイバであることも既に知られている。
【００３０】
そこで、本項に係る装置においては、前記（１）ないし（３）項のいずれかにおける光ファイバがフォトニック結晶ファイバとして構成されている。
【００３１】
（５）  前記フォトニック結晶ファイバは、コア部とそれを覆うクラッド部とを含み、そのクラッド部は、シリカガラス中に前記光束の波長と同程度の周期で複数個のエアホールが規則的に配列された結晶構造を有する（４）項に記載の光伝送装置。
【００３２】
（６）  前記第２ユニットは、観察者の頭部に装着される（２）または（３）項に記載の光伝送装置。
【００３３】
第２ユニットが観察者の頭部に装着される場合、第１ユニットは腰部等の胴部に装着されることが通常想定される。この場合、光伝送手段としての光ファイバには、それら頭部および胴部の相対的な動きによって曲がりや揺れが生じる。
【００３４】
これに対し、本項に係る装置によれば、光ファイバが前記（１）項における光学特性を有するように構成されるため、その光ファイバの曲がりや揺れにもかかわらず、観察者に表示される画像が安定する。
【発明を実施するための最良の形態】
【００３５】
以下、本発明のさらに具体的な実施の形態のいくつかを図面に基づいて詳細に説明する。
【００３６】
図１には、本発明の第１実施形態に従う網膜走査型ディスプレイ装置（以下、「ＲＳＤ」という。）１０の外観が斜視図で示されている。このＲＳＤ１０は、光束の走査によって画像を、観察者の眼の瞳孔を経て網膜上に直接に投影する形式の画像表示装置である。図３には、符号１２で眼が示され、符号１４で瞳孔が示され、符号１５で網膜が示されている。
【００３７】
図１に示すように、このＲＳＤ１０は、観察者の頭部に装着されて使用される装着部１６と、その観察者によって携帯される光源ユニット１８とを物理的に互いに独立に備えている。それら装着部１６と光源ユニット１８とは、光伝送手段としてのフレキシブルな光ファイバ２０によって互いに光学的に接続されている。光源ユニット１８は、例えば、ベルト等の固定具を利用して、観察者の腰や背中において観察者に装着されて使用される。
【００３８】
図１に示すように、装着部１６は、眼鏡型であり、通常の眼鏡と同様にして、観察者の鼻と両耳とを利用して頭部に保持される。そのため、装着部１６は、観察者の両眼１２，１２の前方において鼻によって支持されるフレーム３０と、頭部の両側において両耳によってそれぞれ支持される左右のアーム３２，３２とを備えている。それらフレーム３０と各アーム３２とは、折り畳み可能に互いに連結されている。
【００３９】
ＲＳＤ１０は、両眼１２，１２の網膜１５上にそれぞれ画像を投影する形式である。そのため、装着部１６は、両眼１２，１２のそれぞれについて互いに独立した光学系を備えている。具体的には、各眼１２ごとに、光束を走査する走査ユニット４０と、その走査された光束を、対応する眼１２に入射させて網膜１５上に投影する投影具４２とを備えている。装着部１６は、走査ユニット４０において、光ファイバ２０に接続されている。すなわち、本実施形態においては、走査ユニット４０と光源ユニット１８とが光ファイバ２０によって互いに光学的に接続されているのである。
【００４０】
図２に示すように、投影具４２は、本実施形態においては、走査ユニット４０によって走査された光束を反射して網膜１５に入射させる反射式とされている。具体的には、この投影具４２は、通常の眼鏡における各レンズに類似の形状を有するハーフミラーを用いて構成されている。投影具４２においては、観察者に対向する表面が反射面４４とされており、走査ユニット４０から反射面４４に入射した光束がその反射面４４で反射して眼１２に入射する。
【００４１】
この反射面４４は、楕円の一部を水平軸線まわりに回転させて描かれる回転楕円面として形成されている。この反射面４４は、２つの焦点を有しており、図２に示すように、その一方の焦点には、走査ユニット４０から光束が出射すべき出射口４６が、他方の焦点には、眼１２がそれぞれ位置するように、装着部１６が頭部に装着される。
【００４２】
投影具４２は、上述の反射機能に加えて、投影具４２の前方から入射する光を透過して眼１２に入射させる透過機能も有している。したがって、観察者は、ＲＳＤ１０から伝送される画像を、投影具４２を透過した眼前の実景に重ね合わせて視認することができる。ただし、投影具４２をハーフミラーを用いて構成することは本発明を実施するうえに不可欠なことではなく、反射機能は有するが透過機能は有しない光学部品を用いて投影具４２を構成することが可能である。
【００４３】
以上の説明から明らかなように、本実施形態においては、走査ユニット４０および投影具４２が両眼１２，１２についてそれぞれ設けられており、そのため、光源ユニット１８および光ファイバ２０も両眼１２，１２についてそれぞれ設けられている。ただし、光源ユニット１８については、両眼１２，１２に共通の１個の光源ユニットとして物理的に構成することが可能である。
【００４４】
図３には、両眼１２，１２の一方について代表的に、光源ユニット１８と、光ファイバ２０と、走査ユニット４０とが光路図で示されている。
【００４５】
光源ユニット１８は、光源部５０と集束部５２と主制御回路５４とを含むように構成されている。光源部５０は、ＲＧＢ方式によって任意の色を再現するために、赤色のレーザ光を発生させるレーザ装置６０と、緑色のレーザ光を発生させるレーザ装置６２と、青色のレーザ光を発生させるレーザ装置６４とを備えている。それらレーザ装置６０，６２，６４から発生するレーザ光の強度は、網膜１５上に投影すべき画像を表す画像信号に基づき、各画素ごとに、主制御回路５４によって制御される。
【００４６】
これに対し、集束部５２は、それら３つのレーザ装置６０，６２，６４から発生した３つのレーザ光を集束させるために設けられており、例えば、各レーザ装置６０，６２，６４ごとに、発生したレーザ光をコリメートするためのコリメートレンズ７０，７２，７４と、ダイクロイックミラー８０，８２，８４とを含むように構成される。この集束部５２によって集束されたレーザ光は、収束レンズ９０によって収束され、その収束されたレーザ光は、光ファイバ２０を通過して走査ユニット４０に入射する。
【００４７】
図３に示すように、走査ユニット４０は、入射したレーザ光を主走査方向と副走査方向とに２次元的に走査するために設けられている。その目的のため、走査ユニット４０は、主走査のための偏向器としてのポリゴンミラー１００と、副走査のための偏向器としてのガルバノミラー１０２とを備えている。
【００４８】
走査ユニット４０は、さらに、光ファイバ２０から出射したレーザ光をコリメートするためのコリメートレンズ１０４と、ポリゴンミラー１００から出射したレーザ光をガルバノミラー１０２に伝送するリレーレンズ１０６と、ガルバノミラー１０２から出射したレーザ光を網膜１５上に伝送するリレーレンズ１０８とを備えている。
【００４９】
図３に示すように、走査ユニット４０は、さらに、駆動回路１１０を備えている。駆動回路１１０は、主制御回路５４から、光ファイバ２０またはそれとは別の経路である電線を経て供給された駆動信号に基づき、ポリゴンミラー１００およびガルバノミラー１０２を図示しないそれぞれのモータによって駆動する。
【００５０】
本実施形態においては、光ファイバ２０がフォトニック結晶ファイバ（以下、「ＰＣＦ」と略称する。）として構成されている。ＰＣＦは、一般的な光ファイバと比較して、それ自体の曲げや揺れに対して安定した光伝送特性を有することが既に知られている。
【００５１】
一般的な光ファイバは、コアとそれを囲むクラッドとによって構成され、それらコアとクラッドとは、互いに屈折率が異なる材料を用いて形成されている。具体的には、コアには高屈折の材料が用いられ、これに対し、クラッドには低屈折の材料が用いられている。これにより、光ファイバに入射した光は、コア内に閉じ込められ、コアからクラッドに漏れることなく、光ファイバに沿って伝送される。
【００５２】
これに対し、ＰＣＦは、一般的な光ファイバと同様にして、コア部とこれを囲むクラッド部とによって構成されているが、一般的な光ファイバとは異なり、シリカガラス中にレーザ光の波長と同程度の周期で複数個のエアホールが規則正しく配列された結晶構造を有している。具体的には、コア部は、エアホールを有しない状態でシリカによって形成される一方、クラッド部は、エアホールを有する状態でシリカによって形成されている。
【００５３】
図４には、ＰＣＦの標準的な構造が断面図で示されている。同図に示すように、クラッド部１２０とコア部１２２とは同一の材料であるシリカによって構成されている。クラッド部１２０においては、複数個のエアホール１２４が三角配列構造を成すように配列されており、これに対し、コア部１２２にはエアホール１２４が存在しない。
【００５４】
このような構造を採用すると、コア部１２２は光に対して高屈折の特性を示すのに対し、クラッド部１２０はエアホール１２４の存在によって光に対して低屈折の特性を示す。そのため、一般的な光ファイバと同様に、ＰＣＦに入射した光は、コア部１２２内に閉じ込められ、そのコア部１２２からクラッド部１２０に漏れることなく、ＰＣＦに沿って伝送される。
【００５５】
このＰＣＦの特徴として、曲げ損失が小さいことが挙げられる。曲げ損失とは、光ファイバが曲げられると生じる光量の損失のことで、曲げ損失が小さいとその光ファイバは曲げや揺れに対して安定した光伝送特性を有しているといえる。
【００５６】
一般的な光ファイバは、曲率半径が小さくなるほど曲げ損失が大きくなり、曲げや揺れに対して安定した光伝送特性を有することができ難くなる。
【００５７】
ところで、観察者がＲＳＤ１０を、それの装着部１６を頭部に、光源ユニット１８を身体にそれぞれ装着して使用する場合には、それら装着部１６と光源ユニット１８とを互いに接続する光ファイバ２０のうち余分な長さの部分を小さい空間内に格納すると、光ファイバ２０に大きな曲がりが発生し、また、観察者の動作に伴って光ファイバ２０に揺れが発生する。従来のＲＳＤでは、そのような曲げや揺れが発生すると、光ファイバの曲げ損失が原因で、観察者は安定した品質で画像を観察することができなかった。
【００５８】
これに対し、本実施形態においては、光ファイバ２０としてＰＣＦが用いられ、これにより、光ファイバ２０は常に安定した画像信号を伝送することができる。ＰＣＦの曲げ損失は、伝送される光のある波長領域においては、ＰＣＦの曲率半径に依存することなく、常に０ｄＢであるという実験データが、文献「フォトニック結晶ファイバ（１）−光学特性−」（三菱電線工業時報  第９９号  ２００２年７月発行）によって報告されている。
【００５９】
図５には、ＰＣＦの曲げ損失に関するデータの一例が示されている。これは、三菱電線工業株式会社が、商品名「ＤＩＡＧＵＩＤＥ（登録商標）  ＰＣＦ  Ｓｅｒｉｅｓ」のもとに提供しているＰＣＦのカタログに掲載されている物性データである。このデータによれば、波長が０．６３μｍである可視光を、直径４０ｍｍの円筒面にらせん状に１０回巻き付けられたＰＣＦによって伝送する場合に、そのＰＣＦの曲げ損失は０ｄＢである。
【００６０】
このデータから分かるように、ＰＣＦは曲げ損失が非常に小さく、曲げや揺れに対して安定した光伝送特性を有している。
【００６１】
したがって、本実施形態においては、光ファイバ２０が、ＰＣＦとして構成されることにより、曲げや揺れに対して安定した特性で画像信号を伝送することができるため、観察者が、余分な長さの光ファイバ２０を小さい空間内にらせん状に巻いて格納した場合であっても、ＲＳＤ１０を装着した状態で観察者が動作した場合であっても、観察者は安定した品質で鮮明な画像を観察することができる。
【００６２】
よって、本実施形態によれば、ＰＳＦの曲がりの影響を受けることなく、光として伝送すべきアナログ信号を安定して伝送することが容易となる。
【００６３】
以上の説明から明らかなように、本実施形態においては、光源ユニット１８と走査ユニット４０とが互いに共同して前記（１）項における「複数個のユニット」の一例を構成し、光ファイバ２０が同項または前記（４）項における「光ファイバ」の一例と、前記（５）項における「フォトニック結晶ファイバ」の一例とをそれぞれ構成しているのである。
【００６４】
さらに、本実施形態においては、光源部５０が前記（２）項における「出射部」の一例を構成し、ポリゴンミラー１００とガルバノミラー１０２とが互いに共同して同項における「走査部」の一例を構成し、レーザ光が同項における「光束」の一例を構成し、光源ユニット１８が同項における「第１ユニット」の一例を構成し、走査ユニット４０が同項または（６）項における「第２ユニット」の一例を構成しているのである。
【００６５】
次に、本発明の第２実施形態を説明する。ただし、本実施形態は、第１実施形態と共通する要素が多く、異なる要素は走査ユニット４０に関するもののみであるため、異なる要素についてのみ詳細に説明し、共通する要素については、同一の符号または名称を使用して引用することにより、詳細な説明を省略する。
【００６６】
第１実施形態においては、ＲＳＤ１０の走査ユニット４０が、光源ユニット１８から出射したレーザ光を主走査方向と副走査方向とに２次元的に走査するために設けられており、そのため、走査ユニット４０は、主走査のためのポリゴンミラー１００と副走査のためのガルバノミラー１０２とを備えている。
【００６７】
これに対し、本実施形態においては、図６に示すように、走査ユニット４０が、さらに、光路におけるコリメートレンズ１０４とポリゴンミラー１００との間に、レーザ光の波面を変調する波面変調光学系１４０を備えている。この波面変調光学系１４０は、光源ユニット１８から出射したレーザ光の波面（波面曲率）を、網膜１５上に投影すべき画像上の各画素に応じて変調する光学系である。
【００６８】
具体的には、この波面変調光学系１４０は、集光レンズ１４２とそれの光軸上において変位可能な可動ミラー１４４との組合せを主体として構成されている。さらに具体的には、波面変調光学系１４０は、コリメートレンズ１０４から出射したレーザビームが入射するハーフミラー１４６と、そこで反射して出射したレーザビームを集光する集光レンズ１４２とを備え、さらに、その集光レンズ１４２から出射したレーザビームを平面ミラーで反射する可動ミラー１４４と、その可動ミラー１４４の位置を光軸上において変化させるアクチュエータ１４８とを備えている。アクチュエータ１４８の一例は、圧電素子を利用する形式である。この波面変調光学系１４０においては、可動ミラー１４４において反射したレーザビームが集光レンズ１４２およびハーフミラー１４６を透過して前述のポリゴンミラー１００に入射する。
【００６９】
本実施形態においては、主制御回路５４が、外部から供給された映像信号に基づき、レーザ光の波面を変調するためにアクチュエータ１４８に供給することが必要な波面変調信号を生成し、走査ユニット４０に備えられた駆動回路１１０に供給するように設計されている。アクチュエータ１４８は、駆動回路１１０に供給された波面変調信号に基づき、波面変調光学系１４０から出射するレーザ光の波面を変調する。
【００７０】
なお付言するに、この波面変調光学系１４０においてレーザ光の波面を変調する方式として別のものを採用することが可能である。例えば、アクチュエータ１４８によって焦点距離が変化させられる可変焦点ミラーを用い、入射したレーザ光を反射する反射面の曲率を変化させてそのレーザ光の波面を変調するという方式を採用することが可能である。
【００７１】
したがって、本実施形態によれば、光源ユニット１８から出射したレーザ光の波面を変調することができるため、奥行きのある画像を表示したり、画像の表示位置と観察者との距離を変化させることが可能となる。
【００７２】
さらに、本実施形態によれば、波面変調光学系１４０が光源ユニット１８にではなく走査ユニット４０に設けられるため、波面が変調されたレーザ光が光ファイバ２０を通過せずに済む。したがって、本実施形態によれば、波面が変調されたレーザ光の光学的性質が光ファイバ２０によって喪失されずに済む。
【００７３】
以上の説明から明らかなように、本実施形態においては、波面変調光学系１４０が前記（３）項における「波面変調部」を構成しているのである。
【００７４】
以上、本発明のいくつかの実施形態を図面に基づいて詳細に説明したが、これらは例示であり、前記［課題を解決するための手段］の欄に記載の態様を始めとして、当業者の知識に基づいて種々の変形、改良を施した他の形態で本発明を実施することが可能である。
【図面の簡単な説明】
【００７５】
【図１】本発明の第１実施形態に従う網膜走査型ディスプレイ装置１０を示す斜視図である。
【図２】図１の網膜走査型ディスプレイ装置１０を示す平面図である。
【図３】図１の網膜走査型ディスプレイ装置１０を示す系統図である。
【図４】図１の網膜走査型ディスプレイ装置１０における光ファイバ２０を示す断面図である。
【図５】図４の光ファイバ２０の物性データを表形式で表す図である。
【図６】本発明の第２実施形態に従う網膜走査型ディスプレイ装置を示す系統図である。
【符号の説明】
【００７６】
１８  光源ユニット
２０  光ファイバ
４０  走査ユニット
５０  光源部
１００  ポリゴンミラ−
１０２  ガルバノミラー
１２０  クラッド部
１２２  コア部
１２４  エアホール
１４０  波面変調光学系
【図１】
2005091553.tif 000003
【図２】
2005091553.tif 000004
【図３】
2005091553.tif 000005
【図４】
2005091553.tif 000006
【図５】
2005091553.tif 000007
【図６】
2005091553.tif 000008